(57)【要約】【課題】  バッテリの電圧が所定の値を超えている時のみにデモンストレーションを実行可能な電話装置を提供する。【解決手段】  子機のバッテリの電圧が所定の値より低い場合にはデモンストレーションを一旦停止し（Ｓ１、Ｓ２ステップ）、子機のバッテリの電圧が所定の値よりも高くなると、一旦停止したデモンストレーションを再開する（Ｓ３、Ｓ４ステップ）。【選択図】  図３
2008104042.tif 000002
【特許請求の範囲】
【請求項１】
デモンストレーションを実行可能な電話装置であり、
デモンストレーションを実行している際に、バッテリの電圧が所定の値より低い値となると、デモンストレーションを停止し、バッテリの電圧が所定の値より高い値となると、デモンストレーションを実行することを特徴とする電話装置。
【請求項２】
デモンストレーションを実行可能な電話装置であり、
デモンストレーションを実行している際に、バッテリの電流が所定の値より低い値となると、デモンストレーションを停止し、バッテリの電流が所定の値より高い値となると、デモンストレーションを実行することを特徴とする電話装置。
【請求項３】
デモンストレーションを実行可能な電話装置であり、
デモンストレーションを実行している際に、バッテリの容量が所定の値より少なくなると、デモンストレーションを停止し、バッテリの容量が所定の値より多くなると、デモンストレーションを実行することを特徴とする電話装置。
【請求項４】
デモンストレーションを実行可能な電話装置であり、
デモンストレーションを実行している際に、バッテリが充電されないと、デモンストレーションを停止し、バッテリが充電されると、デモンストレーションを実行することを特徴とする電話装置。
【発明の詳細な説明】
【技術分野】
【０００１】
本発明はデモンストレーション機能を有する電話装置に関する。
【背景技術】
【０００２】
現在市販されているコードレス電話装置やコードレス子機付きファクシミリ装置等には、デモンストレーション機能が搭載されている。店頭でこのデモンストレーション機能を実行することにより、お客さんの目を電話装置にひきつけることができ、販売促進につなげることができる。
【０００３】
又、このようなデモンストレーション機能に関する技術も数多く提案されており、例えば特許文献１には、ファクシミリ装置の親機がデモンストレーション機能を実行すると、自動的に子機もデモンストレーション機能を実行する技術が開示されている。
【特許文献１】特開２００６−２１１１４８号公報
【発明の開示】
【発明が解決しようとする課題】
【０００４】
しかしながら、コードレス電話装置の子機でデモンストレーション機能を実行する際に、子機が充電器に載置されていない状態であれば電池が直ぐに消耗してしまう。
【課題を解決するための手段】
【０００５】
本発明はこのような課題を解決する為のものであり、  請求項１記載の電話装置は、デモンストレーションを実行可能な電話装置であり、デモンストレーションを実行している際に、バッテリの電圧が所定の値より低い値となると、デモンストレーションを停止し、バッテリの電圧が所定の値より高い値となると、デモンストレーションを実行することを特徴とする。
【０００６】
請求項２記載の電話装置は、デモンストレーションを実行可能な電話装置であり、デモンストレーションを実行している際に、バッテリの電流が所定の値より低い値となると、デモンストレーションを停止し、バッテリの電流が所定の値より高い値となると、デモンストレーションを実行することを特徴とする。
【０００７】
請求項３記載の電話装置は、デモンストレーションを実行可能な電話装置であり、デモンストレーションを実行している際に、バッテリの容量が所定の値より少なくなると、デモンストレーションを停止し、バッテリの容量が所定の値より多くとなると、デモンストレーションを実行することを特徴とする。
【０００８】
請求項４記載の電話装置は、デモンストレーションを実行可能な電話装置であり、デモンストレーションを実行している際に、バッテリが充電されないと、デモンストレーションを停止し、バッテリが充電されると、デモンストレーションを実行することを特徴とする。
【発明の効果】
【０００９】
請求項１記載の電話装置は、デモンストレーションを実行可能な電話装置であり、デモンストレーションを実行している際に、バッテリの電圧が所定の値より低い値となると、デモンストレーションを停止し、バッテリの電圧が所定の値より高い値となると、デモンストレーションを実行する為、バッテリの電力が直ちになくなることを回避することが可能である。
【００１０】
請求項２記載の電話装置は、デモンストレーションを実行可能な電話装置であり、デモンストレーションを実行している際に、バッテリの電流が所定の値より低い値となると、デモンストレーションを停止し、バッテリの電流が所定の値より高い値となると、デモンストレーションを実行することを特徴とする為、バッテリの電力が直ちになくなることを回避することが可能である。
【００１１】
請求項３記載の電話装置は、デモンストレーションを実行可能な電話装置であり、デモンストレーションを実行している際に、バッテリの容量が所定の値より少なくなると、デモンストレーションを停止し、バッテリの容量が所定の値より多くとなると、デモンストレーションを実行することを特徴とする為、バッテリの電力が直ちになくなることを回避することが可能である。
【００１２】
請求項４記載の電話装置は、デモンストレーションを実行可能な電話装置であり、デモンストレーションを実行している際に、バッテリが充電されないと、デモンストレーションを停止し、バッテリが充電されると、デモンストレーションを実行することを特徴とする為、バッテリの電力が直ちになくなることを回避することが可能である。
【発明を実施するための最良の形態】
【００１３】
図１は、本発明を適用してなる実施例装置である通信装置（コードレス電話装置）の親機１００のブロック図である。
【００１４】
図１において、入力部１１０は、デモ機能を開始する為のキーや、テンキー等を有している。
【００１５】
デモ情報記憶部１２０は、例えばＲＯＭ（Ｒｅａｄ  Ｏｎｌｙ  Ｍｅｍｏｒｙ）からなり、表示部１３０に表示するデモ機能用の画情報を格納している。
表示部１３０は、デモ機能時には前記デモ情報記憶部１２０に格納されている画情報を表示し、発呼時や待機状態時には相手先の電話番号や氏名等を表示可能である。
【００１６】
ＬＥＤ部１４０は、複数のＬＥＤ（Ｌｉｇｈｔ  Ｅｍｉｔｔｉｎｇ  Ｄｉｏｄｅ）からなり、デモ機能時には後述する制御部２６０の制御の下ＬＥＤの点滅動作や点灯動作を行う。
【００１７】
送受信部１５０は、アンテナ１６０と接続されており、子機５００との間で無線接続動作やデモ機能の開始又は終了を示す信号の送受信等を行う。
【００１８】
ダイオードブリッジ１７０は、回線端子Ｌ１、Ｌ２と接続されており、回線端子Ｌ１、Ｌ２の極性が判定しても親機１００内の回路の電位状態を一定に保つことを可能にしている。
【００１９】
網制御部１８０は、前記ダイオードブリッジ１７０と接続されており、送受話器がオンフック或いはオフフックされたことを検出するフック検出回路（図示せず）の検出に基づいて、後述する制御部２６０の制御の下回線閉結及び開放動作を行う。
【００２０】
スピーチネットワーク部１９０は、前記網制御部１８０と接続されており、前記網制御部１８０を介して回線Ｌから入力した音声信号を前記送受信部１５０又は後述するスピーカ２００へ切替出力する。又、前記送受信部１５０や後述するマイク２１０から入力した音声信号を網制御部１８０を介して回線Ｌへ切り換え送出する。尚、前記スピーチネットワーク部１９０は、入力した音声信号の増幅を行う増幅器やミュートを行うミュート回路等を有している。
【００２１】
スピーカ２００は、回線Ｌ又は子機５００からの音声信号を送出する。
【００２２】
マイク２１０は、親機１００のユーザが発した音声信号を前記スピーチネットワーク部１９０へ送出する。
【００２３】
極性検出回路２２０は、回線Ｌの極性が反転したか否かを検出する。
【００２４】
電源回路２３０は、交流と直流の変換を行うＡＣ／ＤＣ変換部２４０を有するアダプタ２５０と接続されており、前記アダプタ２５０からの電圧を親機１００内で使用する電圧に変換し、図示しない電源ラインを介して親機１００内の各回路に電力を供給する。
【００２５】
制御部２６０は内部に格納された制御プログラムに基づいて上記各回路の制御を司る。
【００２６】
図２は本実施例装置の子機５００のブロック図である。
【００２７】
図２において、送受信部５１０は、アンテナ５２０と接続されており、親機１００との間の無線通信動作やデモ機能開始や終了を示す信号の送受信を行う。
【００２８】
通話回路５３０は、前記送受信部５１０と接続されており、前記送受信部５１０が親機１００から受信した音声信号を後述するスピーカ５４０へ出力する。又、前記マイク５５０から入力した音声信号を送受信部５１０へ送出する。尚、前記通話回路５３０には、入力した音声信号の増幅を行う為の増幅回路やミュートを行う為のミュート回路等が配されており、これらの回路に音声信号を通して増幅やミュート処理を施すことが可能である。
【００２９】
スピーカ５４０は、送受信部５１０が受信した音声信号を送出する。
【００３０】
マイク５５０は、子機５００のユーザが発した音声信号を前記通話回路５３０へ送出する。
【００３１】
入力部５６０は、デモ機能の開始又は終了を指示する為のキーや、テンキー等からなる。
【００３２】
デモ情報記憶部５７０は、例えばＲＯＭ（Ｒｅａｄ  Ｏｎｌｙ  Ｍｅｍｏｒｙ）からなり、表示部１３０に表示するデモ機能用の画情報を格納している。
【００３３】
記憶部５８０は、電力の供給が断となった場合でも格納されている情報を保持可能な記憶素子で構成され、例えばＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）からなる。
【００３４】
尚、前記記憶部５８０は、ＥＥＰＲＯＭでなくとも良く、ＲＡＭ（Ｒａｎｄｏｍ  Ａｃｃｅｓｓ  Ｍｅｍｏｒｙ）にバックアップ用の電源を別途設ける構成としても良い。
【００３５】
表示部５９０は、デモ機能時には前記デモ情報記憶部５７０に格納されている画情報を表示し、発呼時や待機状態時には相手先の電話番号や氏名等を表示可能である。
【００３６】
ＬＥＤ部６００は、複数のＬＥＤ（Ｌｉｇｈｔ  Ｅｍｉｔｔｉｎｇ  Ｄｉｏｄｅ）からなり、デモ機能時には後述する制御部６１０の制御の下ＬＥＤの点滅動作や点灯動作を行う。
【００３７】
制御部６１０は、内部に格納された制御プログラム（図示せず）に基づいて上記各回路の制御を司る。
【００３８】
ダイオードブリッジ６２０は、２つの端子Ｓ１とＳ２を有しており、バッテリ６３０からの電流が充電器７００側に流れ込むのを防止している。又、前記ダイオードブリッジ６２０のＳ１、Ｓ２端子側（充電器７００側）からは２本の信号ライン（ＣＨＧ１、ＣＨＧ２）が制御部６１０へと延びており、制御部６１０がこの２つのラインにおける信号の有無を検出することにより、現在充電中であるか否かを判定することができる。
【００３９】
バッテリ６３０は、例えばニッケルカドミウム等の２次電池からなり、子機５００が充電器７００に設置されている際には、前記充電器７００から入力した電力により充電される。一方、子機５００が充電器７００に設置されていない場合には、バッテリ６３０に充電されている電力により子機５００を稼動することが可能である。
【００４０】
電源回路６４０は、例えばレギュレータからなり、バッテリ６３０から入力した電圧を子機５００内で使用する電圧に変換し、図示しない電源ラインを介して子機５００内の各回路に電力を供給する。
【００４１】
次に充電器７００の回路構成について説明する。
【００４２】
充電器７００は、商用電源から入力した交流電流を直流電流に変換するＡＣ／ＤＣ変換部７１０を有しており、子機５００を充電器７００に配置した状態では、前記ＡＣ／ＤＣ変換部７１０で変換された直流電流は、端子Ｓ３、Ｓ４及び端子Ｓ１、Ｓ２を介して子機５００側へ入力される。
【００４３】
次に、本発明を適用してなる第実施例について説明する。
【００４４】
図３は、本実施例装置の子機の動作を示すフロー図である。又、図３に示すフロー図は、子機が親機からの指示或いは子機の入力部５６０からの指示に応じてデモンストレーションを実行する際の動作を示している。
【００４５】
図３のＳ１ステップにおいて、制御部６１０は、電源回路６４０から供給される電圧のレベルに基づいて、バッテリ６３０の電圧が予め設定した値よりも低い値となったと判定すると、Ｓ２ステップへ処理を進める。
【００４６】
Ｓ２ステップでは、制御部６１０は、子機のデモンストレーションを一旦停止し、Ｓ３ステップへ処理を進める。
【００４７】
Ｓ３ステップでは、制御部６１０は、電源回路６４０から供給される電圧のレベルに基づいて、バッテリ６３０の電圧が予め設定した値よりも高い値となったと判定すると、Ｓ４ステップへ処理を進める。
【００４８】
Ｓ４ステップでは、制御部６１０は、子機のデモンストレーションを再開させ、処理を終了する。
【００４９】
このように、本実施例装置では、バッテリ６３０の電圧が所定の値より低いと判定すると、デモンストレーションを一旦停止し、バッテリ６３０の電圧が所定の値より高いと判定すると、デモンストレーションを再開する為、バッテリ６３０が直ぐに消費されることを回避することが可能である。
【００５０】
又、本実施例では、バッテリ６３０の電圧値を見て、デモンストレーションを一旦停止するか否かを判定したが、子機のバッテリ６３０が充電器７００に充電されているとデモンストレーションを実行し、バッテリ６３０が充電器７００に充電されなくなると、デモンストレーションを一旦停止する構成としても良い。
【００５１】
更に、本実施例では、バッテリ６３０の電圧を見て、デモンストレーションを実行するか否かを制御したが、バッテリ６３０からの電流値を見て、デモンストレーションを実行するか否かを制御しても良い。
【図面の簡単な説明】
【００５２】
【図１】は、本発明を適用してなる実施例装置の親機ブロック図である。
【図２】は、本発明を適用してなる実施例装置の子機ブロック図である。
【図３】は、本発明を適用してなる実施例装置の子機の動作を示すフロー図である。
【符号の説明】
【００５３】
６１０  制御部
６３０  バッテリ
６４０  電源回路
７００  充電器
【図１】
2008104042.tif 000003
【図２】
2008104042.tif 000004
【図３】
2008104042.tif 000005